(57)【要約】      （修正有）【課題】一般家庭の冷蔵庫の脱フロンガス化と省エネルギー化を図った冷却物質および省エネルギー冷蔵庫装置を提供する。【解決手段】従来の気化フロンガスを炭素混合固形化した穴空き物質に液体窒素又はアンモニアなどの冷却ガスを入れて、大気中では有害物質とされるフロンガスを大気中に放出しないようにフロンガスを、炭素融合固形化した合成冷却物質および炭素融合固形化した穴空き物質に液体窒素又はアンモニアガスなどの冷却ガスを補充した炭素固形フロン液体窒素を、冷蔵庫１の冷却タンクに詰めた冷却装置。【選択図】図２
2012140584.tif 000002
【特許請求の範囲】
【請求項１】
本先知的所有財産は、従来の気化フロンガスを炭素混合固形化した穴空き物質に液体窒素又はアンモニアなどの冷却ガスを、入れて大気中では有害物質とされるフロンガスを大気中に放出しない用にフロンガスを、炭素融合固形化した合成冷却物質。（公序良俗違反につき、不掲載）
【請求項２】
本先知的所有財産は、炭素融合固形化した穴空き物質に液体窒素又はアンモニアガスなどの冷却ガスを補充した炭素固形フロン液体窒素を、冷蔵庫の冷却タンクに詰めた冷却装
置。
【請求項３】
本先知的所有財産は、脱フロンガス冷蔵庫のボデイ横のクリスタルガラス片面の冷蔵庫内の食品が見える冷蔵庫。
【請求項４】
本先知的所有財産は、脱フロンガスを、行った冷蔵庫であり、筒形プラスチック内に固形窒素を内蔵した補助冷却パネルを使用した省エネルギー冷蔵庫。
【請求項５】
本先知的所有財産は、冷蔵庫の霜取り冷蔵庫配水貯水槽に配水官を取り付けプラスチック面にウレタン及びカイロ温度発生材を、張り付けた地下水又は地下固形窒素パネル貯蓄
水の循環水が、冷蔵庫本体の底面を循環冷却水が、流れる用に冷蔵庫本体を、室内温度を、下げる事から食品を、守った冷却補助装置。
【発明の詳細な説明】
【技術分野】
【０００１】
本先知的所有財産の先発明は、一般家庭の冷蔵庫の脱フロンガス化と省エネルギー化を図った省エネルギー冷蔵庫装置に関する説明。
【背景技術】
【０００２】
従来の家庭用冷蔵庫2002年10月11日当時は、代替えフロン冷蔵庫しかなかった。
並びに炭素固形フロン冷却装置とプラスチック筒形内蔵固形フロンパネルもしくは、プラスチック筒形内蔵固形窒素パネルを、使用した冷蔵庫又はクーラーなどの商品が、存在してなかった。
従来の家庭用冷蔵庫には、通常モーターしか使用されてたいないため、省エネルギーレールモーターなどの電気消費が少ない事実はおそらく世界で一番電気消費の少ないレール
モーターであり、2001年5月18日の先知的所有財産の先発明レールモーター使用がないため、電気消費が多かった。(例えば特許文献2参照。)。
【０００３】
従来の家庭用冷蔵庫には、電気中から電気抵抗だけを取り除ける装置は、超電導技術でも出来なかった。(例えば特許文献1参照。)の電気の中から電気抵抗を取り除く装置説明。
【０００４】
従来の家庭用冷蔵庫には、霜取り装置の水処理は、貯水枠で現在まで行って来て入るが、霜取り配水管を設備して循環部屋の冷却と冷蔵庫冷却した装置はなかった。
【０００５】
以下、図1から図6までの従来の電気冷蔵庫について説明する。図1の(4)冷蔵庫取っ手(3)は、霜取り冷蔵庫配水貯水槽であり、(2)のクリスタルガラス片面見える冷蔵庫部分は、プラスチック板又は鉄板であった。
【０００６】
図2に於いて(5)は、冷蔵庫網の目冷却ガスパネルの冷却温度調整装置でもあり、(6)冷却ガス温度調整ガス網の目パネル、(7)は冷蔵庫食品質(8)に対して炭素固形フロン窒素ガス
貯蔵ボンベであり、従来はフロンガスのみの装置であった。
【０００７】
図3に於いて(11)固形窒素筒形内蔵プラスチックパネル従来この部分は、プラスチックだけのパネルであり、(13)固形窒素物質つまり、補助冷却装置はなかった。更に(12)は、従来
通りのプラスチックパネル止め金装置である。 
【０００８】
図4において(14)は冷却ガスタンクで有り(15)冷却ガスタンク戻り配管そして(16)は、冷却
ガス送り配管である。
図5に於いて今までは、フロンガスのみで有り(17)炭素固形フロン冷却装置と(18)冷却送風並びに(5)冷却網の目パネルであり(19)新技術の液体窒素レールモーターそして(5)冷
却網の目パネルそして(21)冷却送風官によつて冷蔵庫内に冷風が送られ、今までにない(20)冷却固形窒素パネル補助冷却装置によって従来の冷蔵庫の冷却をおぎなっている。
【０００９】
図6に於いて(3)は、霜取り冷蔵庫配水貯水槽は、現在でも同じ構造で有り、(23)冷蔵庫霜取り配水管と(22)冷蔵庫霜取り配水管ストッパースイッチは、新しい霜取り装置よって発
生した水を、処理する配水管装置であり並びに地下水又は地下の固形窒素パネル貯蓄水の循環水を通す事で、冷蔵庫本体の室内温度から守る冷蔵庫本体温度安定装置である。 
【００１０】図7は、（公序良俗違反につき、不掲載）【００１１】図8は、（公序良俗違反につき、不掲載）【００１２】図9は、（公序良俗違反につき、不掲載）
【先行技術文献】
【特許文献】
【００１３】
【特許文献１】特開2004ー304992号公報
【００１４】
【特許文献２】特開2006ー254697号公報
【発明の概要】
【発明が解決しようとする課題】
【００１５】
以上述べた従来の冷蔵庫では、炭素固形フロン窒素ガス貯蔵ボンベ(8)にはマスコミで騒がれた気化フロンガスが、入っていた。
【００１６】
従来のモーターは、電気消費が、現在のレールモーター(9)より、かなり電気消費が多かった。                                                
従来の超電導技術では、電気中から電気抵抗を、取り除けなかった。
【００１７】
従来の冷却物質では、フロンガスの他値段の高いヘリュームガスしかなく、フロンガスが使用出来ない場合、補助的な冷却装置がどうしても必要だった。                    
【００１８】
従来の霜取り装置によって排出される水の処理は、どうしても小型の升の水を、人力で捨てなければならなかった。 
【００１９】
本先知的所有財産は、この様な従来の構成が、有していた問題点を解決するものであり、脱フロンガスと省エネルギー電気消費を目的とするものである。                   
【課題を解決するための手段】
【００２０】
そして、本先知的財産は、上記目的を達成するために、脱フロン技術として、フロンガスを炭素に吸収させてプラスチックコウテング又はフロンガスを炭素及び固形窒素などに吸
収させた物質である。
更に圧縮凝縮したものを、更にプラスチックコウテングさせたのが冷却物質固形フロンである。
更に穴空き上にした固形フロンは中に入れる液体窒素などが、より良く冷却しやすいようにした技術であり、固形フロンと一緒に液体窒素又は気化窒素を、冷却タンクに内蔵した
事が新しい冷却物質の有り方説明である。
更に固形フロン液体窒素冷却装置の補助冷却としての冷却装置説明は、プラスチックを筒形状にした中に固形窒素又は液体窒素を入れた冷却物質内蔵パネルであり、気化フロン
を、取り外した結果どうしても、必要視された冷却パネルである。
【００２１】また、第2の解決手段として今までの中コイル又は外コイルの1コイル式では、モーター電気エネルギー消費が、大きいため、（公序良俗違反につき、不掲載）今まで以上の省電気エネルギー消費が、見込める事となる。【００２２】
更に、第3の解決手段として冷蔵庫の電気消費を抑える事が問題点のため、電気中から電気抵抗を取り除く技術(特開2004ー304992参照)この技術によって電気中から電気抵抗だけ
を圧電素子磁気4分割方式技術使用によって、電気中から電気抵抗だけを取り除いた結果超電導配線なしの技術で、超電導が出来たため、この技術電気使用によって冷蔵庫の省エ
ネルギー化が実現出来る。 
【００２３】最後の第4の解決手段として、霜取り冷蔵庫装置の水処理に対して現在も人の手で冷蔵庫外に捨てている現状改善のため、冷蔵庫霜取り配水官を、プラスチックなどの組み込み式のパネルに入れて冷蔵庫配水を、地下の地下固形窒素パネル貯蓄水の循環水と混合して、循環冷却する事で、夏場の冷蔵庫側の冷却を先知的財産発明した冷蔵庫の霜取り水処理の有り方説明である。尚、冬場などは、風呂の残り湯の活用によって冷蔵庫近くから暖める事も出来る。（公序良俗違反につき、不掲載）【００２４】（公序良俗違反につき、不掲載）【００２５】（公序良俗違反につき、不掲載）【００２６】（公序良俗違反につき、不掲載）【００２７】（公序良俗違反につき、不掲載）【００２８】（公序良俗違反につき、不掲載）【００２９】（公序良俗違反につき、不掲載）
【発明の効果】
【００３０】
上述したように本先知的財産の先発明の冷蔵庫は、気化フロンの使用をやめて、固形フロンと液体窒素又は気化窒素の合わせた冷却方法を行うため脱気化フロンの効果が得られ
ると言える冷却装置を使う事で新しい冷却方法を使用した時代がおとずれる事となる。
【００３１】
更に気化フロンをやめた事で、冷蔵庫内の冷却率が悪くなる恐れがあるため、筒形プラスチックパネルに液体窒素又は固形窒素などの冷却物質を、筒形プラスチックパネルに入れ
たのを冷蔵庫室内すべてに、収める事で、冷却効率の悪い固形フロン又は液体窒素又は気化窒素の冷却率を、上げるために2002年10月11日の先発明先考案の事実によって脱フロン
の完全宣言を行う効果を発揮するものである。
【００３２】
次に2OO1年5月18日先知的所有財産の先発明は、恐らく世界で一番電気消費が少なく済むレールモーターで、冷蔵庫内の冷却風を送る事が、出来る装置のため、使用電気エネルギー
消費を、約束する事で、一般家庭の電気代が安くなる効果を得る事の出来るレールモーター装置。
【００３３】
上記のレールモーターの電気使用で有るが、公開特許公報A特開2004年ー304992 号の電気中から、電気抵抗を取り除く装置の冷蔵庫活用によって、超電導技術でも出来得なかった
電気中から電気抵抗を、取り除く事で、電気消費は、更に少なくなり、世界で、一番電気消費の少ない冷蔵庫が出来るため、更に一般庶民の電気代節約の効果は目を見張るものにな
る。
【００３４】
そして、現在まで冷蔵庫の霜取り装置の水の処理方法としは、現在に至ってまで手運びだったのが、循環水と一緒に冷蔵庫の側を冷やしり、暖めたりすることによって電気代節約
の効果を上げる事が出来る霜取り排水の循環水冷却暖房装置。
【図面の簡単な説明】
【００３５】【図１】冷蔵庫本体全面図【図２】冷蔵庫本体後部正面図【図３】冷蔵庫固形窒素内蔵プラスチックパネル正面図【図４】冷蔵庫冷却ガスタンク正面図【図５】冷蔵庫の冷却システムの説明図【図６】冷蔵庫本体保護冷却パネルの説明図【図７】（公序良俗違反につき、不掲載）【図８】実際の先知的所有財産先発明の冷却装置説明の原本の写し【図９】実際の先知的所有財産先発明の冷却装置説明の原本の写し【図１０】特開2006ー254697の図22の先発明原本写しの補助説明図【図１１】（公序良俗違反につき、不掲載）【図１２】（公序良俗違反につき、不掲載）【図１３】2001年7月22日追加発明説明書電磁石移動認識装置。【図１４】2001年7月22日図13の続きであり、後の名はレールモーターと名前になる。【図１５】（公序良俗違反につき、不掲載）【図１６】（公序良俗違反につき、不掲載）【図１７】（公序良俗違反につき、不掲載）【図１８】（公序良俗違反につき、不掲載）【図１９】（公序良俗違反につき、不掲載）【図２０】（公序良俗違反につき、不掲載）【図２１】（公序良俗違反につき、不掲載）
【発明を実施するための形態】
【００３６】
以下本先知的所有財産先発明の試作実施の形態を図1から図4に基ずいて説明する。
【００３７】（公序良俗違反につき、不掲載）図1に於いて(1)炭素固形フロン冷蔵庫本体で有り、(3)霜取り冷蔵庫排水貯水槽(4)冷蔵庫取っ手更に新しい技術として、クリスタルガラス片面見える冷蔵庫通常は夜になると蛍光して光る刺繍が、施されている布又は布の糸に窒素繊維が、使用されている糸などを使用された刺繍布が、かぶされている
【００３８】（公序良俗違反につき、不掲載）図2において冷蔵庫(1)の裏面を説明した図であり、霜取り冷蔵庫排水貯水槽(3)及びに冷蔵庫網の目冷却ガスパネル(5)と冷却ガス量温度調整ガス網の目パネル(6)と冷蔵庫食品室(7)までは、従来通りの構造と同じと言える。次ぎに掲げる炭素固形フロン窒素ガス貯蔵ボンベは、フロンガスを炭素固形物質に吸収させて固形炭素フロンの回りをプラスチックで、漏れないプラスチツクの厚みでフロンガス放出を押さえた固形フロンで有る。更に液体窒素又は気化窒素などの補助冷却材を入れた冷蔵庫冷却装置である。
【００３９】
図2の説明の続きとして、レールモーターファンは、先発明証明を、2001年5月18日なのを事実先発明として掲げ、レールモーターファン(9)は、世界で一番電気消費の少ないモータ
ー使用となり、冷凍庫冷凍室(10)の構造を従えた冷蔵庫である。
図3に於いて固形窒素内蔵プラッスチックパネル(11)は、図3に書かれている固形窒素物質(13)であり冷却補助パネルそして固形窒素内蔵プラスチックパネル止め金装置(12)で固
定出来る冷蔵庫内部のパネル装置。
【００４０】
図4に於いて冷却ガスタンク(14)の構造は、図2(0038)に説明した炭素固形フロンに液体窒素又は気化窒素などと一緒に冷却ガスとして使用出来る冷却混合物質タンクであり、
冷却ガスタンク戻り配管(15)冷却ガス送り配管(16)の構造になっている。
【００４１】
図5に於いて炭素固形フロン冷却タンク装置(17)は、冷却送風官(18)によって冷却網の目パネル(5)の中を通り、液体窒素内蔵のレールモーター(19)によって急速冷凍する時は、冷
却網の目パネル(5)のガス官に風を通す冷却装置つまり、冷却送風して、冷却温度調整する事が出来る。
但し従来の気化フロンを使用していないため、補助冷却装置パネルとして冷却固形窒素パネル(20)が、取り付けれる様に示されている図である。
【００４２】
図6に於いて(1)炭素固形フロン冷蔵庫を夏場のクーラーなしの部屋温度から守るための地下循環固形窒素パネル冷却水パネルを敷いた冷蔵庫保護装置であり、冷蔵庫霜取り排水
官ストッパースイッチ(22)と冷蔵庫霜取り排水管(23)を構造内容とした、冷却霜取り排水循環の再利用冷却装置。
【符号の説明】
【００４３】1 炭素固形フロン冷蔵庫2 クリスタルガラス片面見える冷蔵庫 3 霜取り冷蔵庫排水貯水槽 4 冷蔵庫取っ手          5 冷蔵庫網の目冷却ガスパネル 6 冷却ガス量温度調整ガス網の目パネル 7 冷蔵庫食品庫8 炭素固形フロン窒素ガス貯蔵ボンベ     9 レールモーターファン （公序良俗違反につき、不掲載）10冷蔵庫冷凍庫11固形窒素内蔵プラスチックパネル 12固形窒素内蔵プラスチックパネル止め金装置     13固形窒素物質14冷却ガスタンク15冷却ガスタンク戻り配管16冷却ガス送り配管17炭素固形フロン冷却装置18冷却送風官19液体窒素内蔵レールモーター20冷却固形窒素パネル21冷却送風官22冷蔵庫霜取り配水管ストッパースイッチ23冷蔵庫霜降り配水管 (夏には、循環地下水使用 冬には、風呂の余りお湯使用の床暖房)
【図１】
2012140584.tif 000003
【図２】
2012140584.tif 000004
【図３】
2012140584.tif 000005
【図４】
2012140584.tif 000006
【図５】
2012140584.tif 000007
【図６】
2012140584.tif 000008
【図７】
2012140584.tif 000009
【図８】
2012140584.tif 000010
【図９】
2012140584.tif 000011
【図１０】
2012140584.tif 000012
【図１１】
2012140584.tif 000013
【図１２】
2012140584.tif 000014
【図１３】
2012140584.tif 000015
【図１４】
2012140584.tif 000016
【図１５】
2012140584.tif 000017
【図１６】
2012140584.tif 000018
【図１７】
2012140584.tif 000019
【図１８】
2012140584.tif 000020
【図１９】
2012140584.tif 000021
【図２０】
2012140584.tif 000022
【図２１】
2012140584.tif 000023